(57)【要約】認可されたドメインでは、コンテンツをアクセスすることが可能なその装置の管理が主要課題である。認可されたドメインは、コンテンツ・プロバイダにもユーザにも受け入れ可能な解決策を得るために比較的小さな装置群に制限しなければならない。現在の解決策は通常、時代に左右されず、かつユーザ・フレンドリであるには厳格すぎるか、又は、認可されたドメインのサイズを制限するうえで十分効果的でない。本発明は、認可されたドメインのサイズを管理するうえでのユーザ・フレンドリであり、柔軟であるが、効果的な方法を提供する。方法は、認可されたドメインのサイズを制限するようそれぞれが構成された、別個の複数の制限ファンクションを組み合わせることを提案している。制限ファンクションの組み合わせによって、１つ又は複数の他の制限ファンクションがより制限的にされた場合、一制限ファンクションの限度をより制限的でないようにすることが可能であることで、認可されたドメインのサイズに対する結果として生じる限度がより柔軟になる。
2008517366.tif 000002
【特許請求の範囲】
【請求項１】
認可されたドメインのサイズを調節するよう構成された、認可されたドメインのディジタル著作権管理（AD-DRM）のシステムであって、前記認可されたドメインは、限度に関連した第１の制限ファンクションによって、装置ベース、個人ベース又はハイブリッドであり、
前記認可されたドメインのサイズは、個別の限度にそれぞれが関連した１つ又は複数の更なる制限ファンクションによって調節され、前記１つ又は複数の更なる制限ファンクションは前記第１の制限ファンクションとともに複数の制限ファンクションを構成し、
前記複数の制限ファンクションは、１つの制限ファンクションの限度を、前記複数内の他の制限ファンクションの1つ又は複数の限度がより制限的であるよう変更されるという条件で、より制限的でないよう変更することが可能であるように組み合わせられるシステム。
【請求項２】
請求項１記載のシステムであって、制限ファンクション組からの前記複数の制限ファンクションにおいてファンクションをユーザに選択させるよう構成されるシステム。
【請求項３】
請求項１又は２に記載のシステムであって、前記複数の制限ファンクション内の制限ファンクションに関連した限度が、提案されているドメイン管理動作によって超えられると、前記複数における1つ又は複数の他の制限ファンクションの限度が、より制限的であるよう変更されるという条件で、より制限的でないようにするよう限度を変更する可能性をユーザに与えるシステム。
【請求項４】
請求項１乃至３の何れかに記載のシステムであって、前記複数の制限ファンクション内の制限ファンクションに関連した限度が超えられる場合にコンテンツ・アクセスを拒絶するよう構成されるシステム。
【請求項５】
請求項１乃至４の何れかに記載のシステムであって、前記複数の制限ファンクションから組み合わせファンクションを構成するよう構成され、前記制限ファンクションに関連した限度は前記組み合わせファンクションに入力され、前記組み合わせファンクションは値を出力するよう構成されるシステム。
【請求項６】
請求項５記載のシステムであって、何れかのドメイン管理動作によって、前記出力値を閾値と比較するよう構成されるシステム。
【請求項７】
請求項５記載のシステムであって、前記認可されたドメイン内の何れかの装置に対する何れかのコンテンツ・アクセスによって、前記出力値を閾値と比較するよう構成されるシステム。
【請求項８】
請求項６又は７に記載のシステムであって、前記出力値が前記閾値を超える場合にコンテンツ・アクセスを拒絶するよう構成されるシステム。
【請求項９】
認可されたドメインのサイズを調節する方法であって、前記認可されたドメインは、限度に関連した第１の制限ファンクションによって、装置ベース、個人ベース又はハイブリッドであり、
個別の限度にそれぞれが関連した１つ又は複数の更なる制限ファンクションによって前記認可されたドメインのサイズを調節する工程であって、前記１つ又は複数の更なる制限ファンクションが前記第１の制限ファンクションとともに複数の制限ファンクションを構成する工程と、
前記複数の制限ファンクションを、１つの制限ファンクションの限度を、前記複数内の他の1つ又は複数の制限ファンクションの限度がより制限的であるよう変更されるという条件で、より制限的でないよう変更することが可能であるように組み合わせる工程とを備える方法。
【請求項１０】
請求項9記載の方法であって、
制限ファンクションの組からの前記複数の制限ファンクション内のファンクションをユーザに選択させる工程を更に備える方法。
【請求項１１】
請求項9又は10に記載の方法であって、前記複数の制限ファンクション内の制限ファンクションに関連した限度が、提案されているドメイン管理動作によって超えられると、前記複数における1つ又は複数の他の制限ファンクションの限度が、より制限的であるよう変更されるという条件で、より制限的でないようにするよう限度を変更する可能性をユーザに与える工程を更に備える方法。
【請求項１２】
請求項9乃至11の何れかに記載の方法であって、前記複数の制限ファンクション内の制限ファンクションに関連した限度が超えられる場合にコンテンツ・アクセスを拒絶する工程を更に備える方法。
【請求項１３】
請求項9乃至12の何れかに記載の方法であって、前記複数の制限ファンクションから組み合わせファンクションを構成する工程を更に備え、前記複数内の前記制限ファンクションに関連した限度は組み合わせファンクションに入力され、前記組み合わせファンクションは値を出力するよう構成される方法。
【請求項１４】
請求項13記載の方法であって、何れかのドメイン管理動作によって、前記出力値を閾値と比較する工程を更に備える方法。
【請求項１５】
請求項13記載の方法であって、前記認可されたドメイン内の何れか装置に対する何れかのコンテンツ・アクセスによって、前記出力値を閾値と比較する工程を更に備える方法。
【請求項１６】
請求項14又は15に記載の方法であって、前記出力値が前記閾値を超える場合にコンテンツ・アクセスを拒絶する工程を更に備える方法。
【請求項１７】
請求項１乃至８の何れか一項に記載のシステムによって、又は、請求項９乃至１６の何れか一項に記載の方法によって生成された、認可されたドメイン（ＡＤ）。
【請求項１８】
装置のメモリに直接ロード可能なプログラムであって、前記プログラムが装置内で実行されると、請求項９乃至１６の何れかに記載の方法を行うためのソフトウェア・コード部分を備えるプログラム。
【請求項１９】
装置によって読み取り可能であり、上にプログラムを記憶させた媒体であって、前記プログラムが、請求項９乃至１６の何れかに記載の方法を前記装置に実行させるよう構成される媒体。
【発明の詳細な説明】
【技術分野】
【０００１】
本発明は、認可されたドメインのサイズを調節するよう構成された、認可されたドメインのディジタル著作権管理（AD-DRM）システムに関する。認可されたドメインは、限度に関連した第１の制限ファンクションによって、装置ベース、個人ベース又はハイブリッドのものである。本発明は、認可されたドメインのサイズを調節する方法に関し、認可されたドメインは、限度に関連した第１の制限ファンクションによって、装置ベース、個人ベース又はハイブリッドのものである。
【背景技術】
【０００２】
コンテンツ配布技術（すなわち、インターネット及び取り外し可能媒体）における最近の動向によって、以前よりもコンテンツ交換がずっと容易になっている。消費者のすばやい採用は、前述の技術が実際に自らのニーズに対応していることを明らかにしている。ディジタル・コンテンツへのアクセスを管理する手法には、ディジタル著作権管理（DRM）がある。DRMは、著作権のディジタル管理であり、著作権の利用の形態全ての記述、識別、取引、保護、監視及び追跡である。DRMは、例えば、コンテンツ・プロバイダ、サービス・プロバイダ及びサービス・ディストリビュータが自らのコンテンツを保護し、配布に対するコントロールを維持することを可能にする。コンテンツは、（ディジタル）コンテンツ毎に、又はコンテンツをアクセスする装置毎に制限をもたらすことによって保護及び／又は管理することが可能である。
【０００３】
DRMシステムの特殊なケースは、認可されたドメインのディジタル著作権管理（AD-DRM）のシステムである。AD-DRMシステムは、認可されたドメイン内の著作権の管理を行うシステムである。認可されたドメインは、装置、媒体、著作権及びユーザの環境としてみることができる。この環境では、ユーザ及び装置が著作権によってコンテンツを扱うが、認可されたドメインの境界内で行った場合には相対的な自由度を伴ってコンテンツを扱う。
【０００４】
通常、認可されたドメインは、ホーム・ネットワークと、ホーム・ネットワークを中心としたいくつかの（家庭内、同居人の組内等）のユーザとによって世帯を規定する。当然、企業ネットワークなどのその他のシナリオが考えられる。認可されたドメインでは、通常、装置全て及びユーザ／個人全てが、その特定の認可されたドメインに関連したコンテンツをアクセスすることが可能である。更に、ユーザは、限定量のコンテンツを備えた、オーディオ及び／ビデオ用ポータブル装置を旅行に持って行き、自分のホテルの部屋でそれを使用して、自宅にある自分のパーソナル・オーディオ・システム及び／又はパーソナル・ビデオ・システムに記憶された更なるコンテンツをアクセス又はダウンロードすることが可能である。ポータブル装置は、ホーム・ネットワークの外にあっても、ユーザの認可されたドメインの一部であり得る。認可されたドメインは、装置ベース、個人ベース又はハイブリッドのものであり得る。装置ベースの、認可されたドメインは、ドメイン内の装置による、コンテンツへのアクセスを可能にするが、何れかの他の装置による、コンテンツへのアクセスを可能にしないシステムである。個人ベースの認可されたドメインは、例えば、ライセンス又は証明書によって、識別された個人に、コンテンツへのアクセスが制限されるシステムである。ハイブリッドの認可されたドメインは、コンテンツへのアクセスが、個人ベースのアクセス及び装置ベースのアクセスの組み合わせであるシステムである。
【０００５】
認可されたドメイン（すなわち、世帯等）の構成員は、社会的に受け入れることができるコンテキストにおいてコンテンツを共有することができるものとする。よって、コンテンツへのアクセスの管理は、認可されたドメインの範囲の管理に変えられる。したがって、認可されたドメインでは、その装置が特定のドメインの一部である（あり得る）その管理が主要な課題である。認可されたドメインの概念に固有であるのは、実施可能な解決策（すなわち、コンテンツ業界にも消費者にも受け入れ可能な解決策）を得るために、ドメインのサイズが、装置及び／又はユーザの比較的小さな群に限定されなければならないことである。本明細書を通して、認可されたドメインの「サイズ」の語は、認可されたドメインにおける装置／又はユーザの数の尺度である。
【０００６】
認可されたドメインのサイズを制限する主な理由は、ドメインがインターネットにわたって無限に広がる（それによって、人々によって、世界の他の場所の全くの部外者に、認可されたドメインが開放される）ことを阻止することである。認可されたドメインのサイズを制限することによって、ユーザは、自分自身の装置のみがドメインの一部であることを可能にするための誘因を有する。
【０００７】
よって、コンテンツ・プロバイダ及びサービス・プロバイダのニーズを満たすために、コンテンツの、別々の世帯間の交換、及び使用は制御可能であるものとする。しかし、コンテンツの自由な使用に対する制限は、消費者／ユーザに対して常に面倒となる。認可されたドメインの概念は、この制限された環境における自由感をユーザに与えるよう企図されている。この概念では、消費者／ユーザの自由度を制限するという問題点は、コンテンツの使用から、認可されたドメインの構成に概ね換えられる。よって、認可されたドメインが構成されると、認可されたドメイン内のコンテンツを、認可されたドメイン内で自由にアクセスすることが可能である。
【０００８】
コンテンツが合法的に、又は非合法的に用いられているか否かを判定することに関する大半の提案の焦点はこれまで、認可されたドメインのサイズを制限するための手法／又は方策をもたらした。これらは通常、
単純な実行可能な実現形態に焦点を当てた制限方策と、
一般のユーザの目に見えて分からないものとするようにするうえでユーザ体験に焦点を当てる制限方策と
の２つのカテゴリに収まる。
【０００９】
通常、以前の制限方策は、認可されたドメインのサイズ（例えば、同じ認可されたドメインの一部であり得る固定の最大数の装置）に対して極めて厳格な限度を課す。これは、認可されたドメインにおいて装置数に非常に具体的な制限を実現するが、実際にはユーザ・フレンドリでなく、その厳格さによって、時代に左右されない訳でない。更に、前述の方策は、世帯の一部でない、近所の人々の装置又は家族の構成員の装置が、認可されたドメインの一部であり得る点で、認可されたドメインを世帯に制限するものでない。前述のタイプの制限方策は、それによって、受け入れられないものになるその簡単な無効化機構を有している。
【００１０】
具体的な制限手法又は制限方策には
ホーム（又は主）ネットワークのサイズを、固定された最大数の装置に制限すること（例えば、スマートライト（SmartRight））  この種の制限方策は簡単に実行可能である。しかし、固定された最大値について妥当な値が何であるべきかを事前に判定するのは難しく、盗難されたか、又は分解された装置に関連した著作権を回復するのは難しい。
【００１１】
個人が、限定された数しか同時の動作を登録することが可能でない点で、ドメイン／ネットワーク内の個人がレンダリングすることが可能なセッションの数を制限すること  よって、コンテンツに対する自然な限度は、一個人が必要になるセッションの数である。よって、ネットワーク内のセッションの数は、ネットワーク内の構成員の数に比例することになる。この場合、制限要因がセッション数である点で、装置の数は関係なくなる。国際特許出願第03092264号（代理人整理番号PHNL020372）明細書を参照されたい。
【００１２】
登録による制限  ユーザは、自らの認可されたドメインと、それに属する装置とをそれに登録権限において登録するものとする。登録権限は、認可されたドメインのサイズを常時監視しており、ドメイン管理動作内の異常な挙動（過剰に多数の新たな装置の登録など）を求めて常時監視している。前述の方策を備えるシステムの例に、xCPがある。制限する登録方策の更なる展開は、装置の上限に達した場合に、より高い権限においてユーザに登録させる。これは、より高いコストに関係し得る。
【００１３】
活発であることを証明することによる制限  認可されたドメインの構成員である装置は、なお、ドメインの合法の構成員であること（例えば、認可されたドメイン内の他のデバイスと、又は認可されたドメイン内の中央装置と相互作用することや、特定の時間間隔で自らの登録手順を再実行するものとすること）を時折証明しなければならない。例えば、国際特許出願第03／092264号（代理人整理番号PHNL020372）明細書を参照されたい。
【００１４】
近接性の原理に基づいた近接性方策  これは、認可されたドメインが単一の一世帯に制限されるものとするという原理に従っている。互いに近い装置は、単一の一世帯に関連している確率が高い。前述の近接性を証明するためのいくつかの手法（GPSに基づいた、又は認証された距離測定プロトコルに基づいた特定の距離測定サブシステムなど）が存在している。例えば、国際特許出願第04/014037号（代理人整理番号ＰＨＮＬ020681）及び欧州特許出願第04104717.6号（代理人整理番号ＰＨＮＬ041038）を参照のこと。しかし、特定の場合には、装置は、認可されたドメイン（例えば、第２の家庭における車又はテレビジョン受像器におけるオーディオ装置及び／又はビデオ装置）内の個人に属していても、必ずしも互いに近くなくてよく、よって、更に、認可されたドメインの一部とみなすものとする。
【００１５】
前述の制限手法又は制限方策それぞれは、前述の通り、利点及び欠点を有する。主な欠点は、制限手法や制限方策が何れも、簡単に実行することができ、柔軟であり得ると同時に、出し抜き及び／又は不正手段に対して安全であり得るものでないことである。
【発明の開示】
【発明が解決しようとする課題】
【００１６】
本発明の目的は、前述の欠点の少なくとも一部を解決しながら、認可されたドメインのサイズを調節するよう構成されたシステムを提供することである。更なる目的は、現在の柔軟なシステムと比較して、出し抜き及び／又は不正手段に対する安全性を向上させた、柔軟でかつユーザ・フレンドリなシステムを提供することである。
【課題を解決するための手段】
【００１７】
前述の目的は、認可されたドメインのサイズが、それぞれが個別の限度に関連した1つ又は複数の更なる制限ファンクションによって調節されるシステムにおいて達成される。1つ又は複数の更なる制限ファンクションは、第１の制限ファンクションとともに複数の制限ファンクションを構成し、複数の制限ファンクションは、前述の複数における1つ又は複数のその他の制限ファンクションの限度が、より制限的であるよう変更されるという条件で、１つの制限ファンクションの限度を、より制限的でないよう変更することが可能である。これによって、柔軟なシステムが達成される（限度に関連した制限ファンクションによって、認可されたドメインを調節するという利点（すなわち、簡単な実行可能性）が活用される）。制限ファンクションそれぞれは、認可されたドメインのサイズを制限することができ、一制限ファンクションの限度が、１つ又は複数のその他の制限ファンクションの限度に影響を及ぼし得る場合、ドメイン・サイズの結果として生じる限度は、より柔軟になる。これによって、ユーザは、認可されたドメインにおけるコンテンツの使用の制限の緩和を受けることになる。
【００１８】
好ましい実施例では、システムは、制限ファンクション組からの複数の制限ファンクション内のファンクションをユーザに選択させるよう構成される。よって、AD-DRMシステムによってサポートされる総制限組から、最もふさわしい制限を選ぶことが可能である。一ユーザが、認可されたドメイン内の装置数に対してより高い限度を欲することがあり得る一方、別のユーザは、自らの認可されたドメイン内の装置の何れかの再登録間に大きな間隔を欲することがあり得る。更に、この実施例は、認可されたドメインに追加された装置が新たな制限ファンクションを有し得る点で、認可されたドメイン内の制限のアップグレード・パスを提供する。AD-DRMシステムは、新たな制限ファンクションがこのシステムに存在していることを検出すると、前述のように、利用可能な制限ファンクション全てを用いるよう構成することが可能である。「装置」の語は、コンテンツを処理することができる何れかの装置（ラジオ受信機、DVDプレイヤ、CDプレイヤ、CD-ROMプレイヤ、テレビジョン受像機、VCR、テープ・デッキ、パソコン、MP3プレイヤ、チューナ／デコーダ、セット・トップ・ボックス、携帯電話機などであるが、これらに限定されない）に及ぶことを意味している。
【００１９】
本発明によるシステムの別の好ましい実施例では、複数の制限ファンクション内の制限ファンクションに関連した限度が、提案されているドメイン管理動作によって超えられると、複数における1つ又は複数のその他の制限ファンクションの限度が、より制限的であるよう変更されるという条件で、より制限的でないようにするよう限度を変更する可能性をユーザに与える。よって、提案されているドメイン管理動作（認可されたドメインにおける装置の数又はコンステレーションの何れかの変更（例えば、認可されたドメインとの間での装置の追加又は除去）など）が、制限ファンクションに関連した限度が超えられることをもたらす場合、AD  DRMシステムは、限度のこの超越を回避するための動作をユーザが行うよう誘いかけ、かつ／又はそのように行う可能性を提案することが可能である。当然、前述の可能性は、複数の制限ファンクション内の制限ファンクションの1つ又は複数の限度を変更することに関係し、例えば、再登録間の間隔の削減（ユーザは、装置の再登録を直ちに行うようにし、よって、この制限に従うことが可能である）、認可されたドメイン内の安定性に対する限度の増加等であり得る。制限ファンクションの限度が上限（下限、それぞれ）である場合、より制限的であるよう制限ファンクションを変えることは限度を低下させる（上昇させる、それぞれ）ことに対応する一方、より制限的でないよう制限ファンクションを変えることは限度を上昇させる（低下させる、それぞれ）ことに対応する。
【００２０】
更に、本発明によるシステムは好ましくは、複数の制限ファンクションにおける制限ファンクションに関連した限度が超えられる場合にコンテンツ・アクセスを拒絶するよう構成することが可能である。それによって、制限ファンクションの現在の限度全てを満たすことが可能でない場合に、認可されていないコンテンツ・アクセスが回避される。
【００２１】
上記限度は制限ファンクションの、上の境界を構成することが可能であるので、「制限ファンクションの限度が超えられる」の表現は、制限ファンクションが上記限度を超えることに及ぶことを意味する。しかし、上記限度が制限ファンクションの下の境界を構成することが考えられる。この場合、「制限ファンクションの限度が超えられる」の表現は、制限ファンクションが上記限度よりも小さくなることに及ぶことを意味する。
【００２２】
好ましい実施例では、本発明によるシステムは、複数の制限ファンクションから組み合わせファンクションを構成するよう構成される。制限ファンクションに関連した限度は組み合わせファンクションに入力され、組み合わせファンクションは値を出力するよう構成される。種々の制限限度間の相互関係を組み合わせファンクション（この値を出力するものとする）として表すことによって、本発明を用いる簡単に実行可能なやり方が達成される。
【００２３】
更に好ましい実施例では、システムが、何れかのドメイン管理動作によって、出力値を閾値と比較するよう構成される。代替的な好ましい実施例では、システムは、認可されたドメイン内の何れかの装置に対する何れかのコンテンツ・アクセスによって出力値を閾値と比較するよう構成される。これにより、出力値及び閾値の比較によって、複数内の制限ファンクションの限度が全て守られるか否かを判定する簡単に実行可能なやり方が提供される。現在の制限ファンクション限度は、上記によって変更された元の1つ又は複数の限度であり得る。出力値と閾値との間の比較を用いて、コンテンツ・アクセスが、認可されたドメイン内で許されるか否かの示標を供給することが可能である。コンテンツ・アクセスは、認可されたドメイン全体において、又は認可されたドメイン内の１つ若しくは複数の装置上で、許されるか、又は許されないことがあり得る。
【００２４】
更に好ましい実施例では、システムは、出力値が閾値を超える場合にコンテンツ・アクセスを拒絶するよう構成される。これにより、コンテンツへのアクセスを許すか、又は拒絶／拒否する、簡単に実行可能であるが、ユーザ・フレンドリなやり方が得られる。
【００２５】
閾値は出力値の上の境界値を構成することが可能であるので、「出力値が閾値を超える」という表現は、出力値が閾値を超えることに及ぶことを意味する。しかし、上記閾値が出力値の下の境界を構成することが考えられる。この場合、「出力値が閾値を超える」という表現は、出力値が閾値よりも小さくなることに及ぶことを意味する。
【００２６】
AD-DRMシステムの制御ファンクションは好ましくは、認可されたドメインのマネージャによって行われる。これは、AD-DRMシステムを管理する認可されたドメイン内の装置である。通常、認可されたドメインのマネージャは、認可されたドメイン内の消費者向電子装置の１つに一体化される。しかし、認可されたドメイン・マネージャは、認可されたドメインと、認可されたドメイン内のコンテンツ・アクセスとを調節し、管理する目的で主に用いられる別個の装置でもあり得る。
【００２７】
本発明は更に、認可されたドメインのサイズを調節する方法に関する。この利点は、前述の方法の利点に対応する。
【発明を実施するための最良の形態】
【００２８】
本発明は、好ましい実施例に関して、かつ、添付図面を参照して以下に更に徹底的に説明する。
【実施例】
【００２９】
図１は、認可されたドメインＡＤの概略図である。認可されたドメインＡＤは、Ｎ個の装置D1,D2,…,DNを備える。Nは自然数である。前述の装置の例には、ラジオ受信機、DVDプレイヤ、CDプレイヤ、CD-ROMプレイヤ、テレビジョン受像機、VCR、テープ・デッキ、パソコン、MP3プレイヤ、チューナ／デコーダ、セット・トップ・ボックスがある。装置は、コンテンツ（音楽、映画、テレビジョン番組、写真、テキスト、著書等など）にアクセスするよう構成される。
【００３０】
装置は、コンテンツの記録と、後の再生とのために記憶媒体（ハード・ディスクなど）を有し得る。あるいは、装置は、コンテンツを受け、直ちに再生する手段を有し得る。
【００３１】
認可されたドメインADは更に、認可されたドメインのマネージャＡＤＭを備える。装置Diそれぞれは、認可されたドメインのマネージャＡＤＭと通信することが可能である。通信チャネルは、無線接続又は従来の有線接続であり得る。しかし、装置が別の装置（認可されたドメインのマネージャと直接通信することができる代わりに、認可されたドメインのマネージャと通信することができる）と通信することが可能であることも考えられる。
【００３２】
特定のアーキテクチャでは、管理機能は、分散的に扱われるので、認可されたドメインのマネージャＡＤＭは必要でない。ＡＤ内の複数の装置はその場合、ＡＤＭの機能を併せて提供する。
【００３３】
認可されたドメインのマネージャＡＤＭは、図１に示すように別個の装置であり得るか、又は、装置Di（i∈［1;N］）のうちの１つに一体化させることが可能である。認可されたドメインのマネージャＡＤＭは、複数の制限ファンクションによって、認可されたドメインを調節する装置である。よって、認可されたドメイン・マネージャの機能は、例えば、どの装置が、認可されたドメインの一部であるかを更新するために装置Diと通信する工程と、認可されたドメインＡＤ内の装置の数を登録し、制限する工程、認可されたドメインＡＤ内の装置の変更の数を登録し、制限する工程、認可されたドメインＡＤにおいて用いる複数の制限ファンクションにおける制限ファンクションによって、ADMと、認可されたドメイン内の各装置Diとの間の接触期間を登録する工程等を備える。よって、認可されたドメインのマネージャＡＤＭは、新たな装置を認可されたドメインに付加することが可能であるか否かを決定する。更に、認可されたドメインのマネージャＡＤＭは、複数の制限ファンクション内の制限ファンクションの限度の1つ又は複数が超えられる場合の結果も実現する。前述の結果の例は、装置Diの１つ又は複数がコンテンツをアクセスすることを阻止する工程、認可されていない装置への、コンテンツの認可されていない複製及び／又はコンテンツの保護されていない漏洩から、認可されたドメイン内の装置を阻止する工程、制限ファンクションの限度の何れかの超越を直すための動作を、ユーザが行うことを促し、かつ／又は、前述の動作をユーザによって行うことを示唆する工程等があり得る。
前述の通り、認可されたドメイン、及び認可されたドメインのマネージャは、認可されたドメイン内で著作権の管理を行う認可されたドメインのディジタル著作権管理(AD-DRM)のシステム（図示せず）内の構成要素である。
【００３４】
認可されたドメインAD内の装置Diは、一体化された記憶媒体（ハード・ディスクなど）、又は取り出し可能な記憶媒体（DVD、CD、ビデオ・テープ、カセット・テープ等など）からコンテンツを取り出すよう構成することが可能である。更に、装置Diは何れも、無線接続、インターネット接続、ブロードバンド・ケーブル・ネットワーク、衛星ダウンリンク等（図１に図示せず）によって、認可されたドメインの外の装置からコンテンツを取り出すよう構成することが可能である。
【００３５】
認可されたドメインの特定のア―キテクチャの一部は、国際特許出願第03/098931号（代理人整理番号PHNL020455）、欧州特許出願第03100772.7号（代理人整理番号PHNL030283）、欧州特許出願第03102281.7号（代理人整理番号PHNL030926）、欧州特許出願第04100997.8号（代理人整理番号PHNL040288）や、F.  Kamperman及びW.  Jonker、  P.  Lenoir並びにB.  vd  Heuvel、  Secure  content  management  in  authorized  domains,  Proc.  IBC2002,  pages  467-475,  Sept.  2002に概説されている。認可されたドメインは、課題（認可されたドメインの識別、装置のチェックイン、装置のチェックアウト、著作権のチェックイン、著作権のチェックアウト、コンテンツのチェックイン、コンテンツのチェックアウト、並びにドメイン管理など）に対応する必要がある。
【００３６】
図2aは、2次元で固定の限度を有する制限ファンクション（すなわち、制限ファンクションX≦C1及びY≦C２）を略示する。前述の制限ファンクションの例は、「認可されたドメイン内の装置の数＜１０である」、「毎月のドメイン変更の数＜５である」、「何れかの装置とADMとの間の接触の間隔＜２週」等であり得る。よって、前述の制限ファンクションがともに満たされた場合（すなわち、ハッチングされた領域内で）、ADMは、認可されたドメイン内の装置が、認可されたドメイン内のコンテンツをアクセスすることを可能にするものとする。図2aでは、コンテンツ・アクセスを認めるものとする前に制限ファンクションがともに満たされなくてはならない。
【００３７】
図2bは、本発明に対応する、2次元で組み合わせ制限ファンクションを略示する。図2bでは、X値及びY値に対する制限間の単純な線形関係（すなわち、「X+Y≦C」）によって、２つの制限（例えば、図２aの制限ファンクション）の組み合わせが実現される。図2bのハッチングされた領域の面積は、図2a内のハッチングされた領域の面積に実質的に等しい。図2bの組み合わせ制限ファンクションは、なお制限的であっても、図２bのX及びYの考えられる最大値X及びYを、図2aのものと比較して増加させることで柔軟性が向上する。
【００３８】
図３は、3次元で制限ファンクションの組み合わせの例を示す図である。制限ファンクションは、
Max  Devices（すなわち、認可されたドメイン内の装置の最大数）
ＡＤＭとの接触期間（すなわち、その後は、装置が、認可されたドメイン・マネージャに再登録しなければならないその期間）
ドメイン変更（すなわち、認可されたドメインの構成における最大頻度許容変更）これによって、認可されたドメインの構成の、活発であること／安定性の尺度が得られる。
【００３９】
認可されたドメインのマネージャＡＤＭは、図３に示すように３つの制限ファンクションを１つの組み合わせ制限ファンクションに組み合わせるよう構成されるので、３つの制限ファンクション全ての現在の限度が満たされることは図３における列に対応する。ＡＤＭとの接触期間が日次であり、かつ、ドメイン変更が最小にされる場合、最大４０個の装置を得ることが可能であるので、認可されたドメインが「半固定」になることが図３からわかり得る。しかし、装置の最大数が３０であることが十分な場合、これはいくつかのやり方で得ることが可能である（例えば、ＡＤＭとの接触期間が日次であり、ドメイン変更の頻度が「定期的」である場合か、又は、認可されたドメインが半固定であり、ＡＤＭとの接触期間が月次である場合）。当然、図３における値は例示的に過ぎないので、例えば、装置の数の限度を、ＡＤＭとの日次の（、又はより頻度の高い）接触期間、及び安定性が高いＡＤ構成という条件で、１０００（無限大に類似している）に設定することが可能であることも考えられる。
【００４０】
図３の組み合わせファンクションは、認可されたドメイン内の装置がコンテンツをアクセスすることができるものとするか否か、かつ／又は、認可されたドメインを構成する、／認可されたドメインに属する基準を装置が満たすかの、認可されたドメインのマネージャＡＤＭによる何れかの検査によって用いることが可能である。この検査は、例えば、何れかの認可されたドメインのトランザクション中に、又は認可されたドメイン内の何れかの装置に対するコンテンツ・アクセス中に行うことが可能である。
【００４１】
認可されたドメインのトランザクション中に検査が行われる場合において、かつ、図３に対応する場合において、認可されたドメインのマネージャＡＤＭは、認可されたドメインの変更の許可を決定する前に、現在の認可されたドメイン内の装置それぞれとのその最後の接触、及び認可されたドメインの安定性についての情報を収集することが可能である。収集された情報に基づいて、認可されたドメインのマネージャは、認可されたドメインへの装置の追加などの変更が許可可能か否かを判定する。この変更が、認可されたドメイン内の装置の最大数に既に到達したことによって（、かつ、他の軸上の値を前提とすれば）、直ちに許可可能なものでない場合、認可されたドメインのマネージャは、より制限的になるよう他の制限ファンクションの1つ又は両方の限度を変更することによって装置の最大数を変更する可能性を、変更を提案しているユーザに提供するものとする。図３の例では、このことは、接触期間の短縮（装置全てとＡＤＭとの間の、又は最長の接触期間を有する1つ又は複数の装置と、ＡＤＭとの間の接触をもたらすことによって直ちに得ることが可能である）によって達成することが可能である。あるいは、ＡＤ内の望まれる最大数の装置に対応する受け入れ可能レベルに、時間当たりのドメイン変更数が低下する（これは、特定期間、認可されたドメイン内の変更が何ら行われない場合に自動的に生じることになる）までユーザは待つことが可能である。
【００４２】
検査がコンテンツ・アクセス中に行われる場合、認可されたドメイン内の各装置は、認可されたドメインのマネージャとの最後の接触によって受け取られた情報に基づいて、認可されたドメインのマネージャとの現在必要な接触の期間を取り出すことが可能である。制限ファンクションが図３に示すものに対応する場合、各装置は、認可されたドメインのマネージャと接触された最後の時間を記憶することが可能である。装置上のコンテンツ・アクセス中に、認可されたドメインDRMのシステムは、装置が通常の動作限度内にあるか否か（すなわち、装置に関する複数の制限ファンクション内の何れかの制限ファンクションの何れかの現在の限度が満たされているか否か、かつ／又は、組み合わせファンクションの出力値が、閾値を超えることを回避するか）を検査するよう構成することが可能である。認可されたドメインDRMのシステムは、検査の結果によって（認可されたドメイン内の装置の１つ、複数又は全部に対する）コンテンツ・アクセスを拒絶するか、又は可能にすることができるよう構成されるので、上記装置に対するコンテンツ・アクセスは、何れかの適切な１つ又は複数のファンクションが満たされた場合にのみ可能である。
【００４３】
図２bの組み合わせ制限ファンクション及び図３の組み合わせ制限ファンクションが実質的に線形のファンクションとして示されていても、組み合わせファンクションは、何れかの適切なファンクション（例えば、多角形ファンクション、超ファンクションや離散ファンクションなど）であり得る。更に、列において表す図３の組み合わせファンクションは離散ファンクションであっても、何れかの連続ファンクションも、適宜用いることが可能である。あるいは、認可されたドメインの範囲を制限しなければならない面積／体積は、以下の例のように、論理規則の組として表すことが可能である。
例：
【表１】
2008517366.tif 000003
この例では、
「number  of  devices＜２０」
「oldest  registration＜1  month」
「oldest  proximity  check＜2  months」
のファンクションが存在していることを前提としている。
【００４４】
更に、「valid」の語は、複数の制限ファンクション内の制限ファンクションの現在の限度全てが満たされる状況に対応するものとする。
【００４５】
上記例は、制限ファンクション「number  of  devices＜２０」が、より制限的になるよう制限ファンクション「oldest  registration＜1  month」又は制限ファンクション「oldest  proximity  check＜2  months」が変更されるという条件で、より制限的でなくなるよう変更される。よって、制限ファンクション「number  of  devices」の最大値は固定でないが、1つ又は複数の他の制限的ファンクションがより制限的になっているという条件下で増やすことが可能である。しかし、普及している制限ファンクションの一部が固定の最大値を有している一方、その他の制限ファンクションの一部が、柔軟な限度を有していることも考えられる。よって、制限ファンクション全てを相互リンクしなくてよい。
【００４６】
更に、図２b及び図3における制限ファンクションは、制限ファンクションの組からユーザによって選ぶことができたので、ユーザは、最も好都合であるか、又は適切である（すなわち、面倒が最も少ない）制限ファンクションを選ぶことが可能である。前述の通り、制限ファンクションの組は、新たな装置が、認可されたドメインに追加されると拡張させることが可能である。
【図面の簡単な説明】
【００４７】
【図１】認可されたドメインの概略図である。
【図２ａ】従来技術に対応する、2次元で、固定の限度を有する制限ファンクションを略示する図である。
【図２ｂ】本発明に対応する、2次元で、組み合わせ制限ファンクションを略示する図である。
【図３】3次元で、制限ファンクションの組み合わせの例を示す図である。
【図１】
2008517366.tif 000004
【図２ａ】
2008517366.tif 000005
【図２ｂ】
2008517366.tif 000006
【図３】
2008517366.tif 000007
【国際調査報告】
2008517366.tif 000008
2008517366.tif 000009
2008517366.tif 000010